(57)【要約】【課題】可動型同軸コネクタに衝撃が加わった場合でも、内部の可動部と支持部間を接圧を保って安定して摺動接続できる可動型同軸コネクタを提供する。【解決手段】絶縁ホルダ１１に保持された可動ピン１２を有する通電ピンを中心部に備え、絶縁ホルダ１１の周囲をケース１３により取り囲み、さらに、スライダ１５とこのスライダ１５をバネ１４により弾性的に支持する絶縁ホルダ１１の外周に設けられたケース１３間に接圧を掛ける接圧付勢部としての板バネ１８の接圧力により絶縁ホルダ１１外周のケース１３に摺動接触するスライダ１５を備えて構成される。可動するスライダ１５と固定されている絶縁ホルダ１１の外周に設けられたケース１３間にバネ性を持たせて接触摺動できるようにしているので、可動型同軸コネクタ内部における接触の信頼性を向上できる。【選択図】図１
2005327520.tif 000002
【特許請求の範囲】
【請求項１】
内部コンタクト及び外部コンタクトを有する可動型同軸コネクタにおいて、前記外部コン
タクトは、可動部と前記可動部を支持する支持部の外周面に接圧を掛ける接圧付勢部を備
え、前記接圧付勢部の付勢による接圧を保ちながら前記可動部が前記可動部を支持する支
持部を摺動することを特徴とする可動型同軸コネクタ。
【請求項２】
前記接圧付勢部は、前記可動部の一部に設けられることを特徴とする請求項１記載の可動
型同軸コネクタ。
【請求項３】
前記接圧付勢部は、前記可動部の一部に割を入れて弾性を付与するものであることを特徴
とする請求項２記載の可動型同軸コネクタ。
【請求項４】
前記接圧付勢部は、前記支持部の一部に設けられることを特徴とする請求項１記載の可動
型同軸コネクタ。
【請求項５】
前記接圧付勢部は、前記支持部の一部に割を入れて弾性を付与するものであることを特徴
とする請求項４記載の可動型同軸コネクタ。
【請求項６】
内部コンタクト及び外部コンタクトを有する可動型同軸コネクタにおいて、前記内部コン
タクト及び前記外部コンタクトの各々は、可動部と前記可動部を支持する支持部を備え、
さらに前記内部コンタクト及び前記外部コンタクトの少なくともいずれかに前記可動部と
前記可動部を支持する支持部の外周面に接圧を掛ける接圧付勢部を備え、前記接圧付勢部
の付勢による接圧を保ちながら前記可動部が前記可動部を支持する支持部を摺動すること
を特徴とする可動型同軸コネクタ。
【請求項７】
前記接圧付勢部は、前記可動部の一部に設けられることを特徴とする請求項６記載の可動
型同軸コネクタ。
【請求項８】
前記接圧付勢部は、前記可動部の一部に割を入れて弾性を付与するものであることを特徴
とする請求項７記載の可動型同軸コネクタ。
【請求項９】
前記接圧付勢部は、前記支持部の一部に設けられることを特徴とする請求項６記載の可動
型同軸コネクタ。
【請求項１０】
前記接圧付勢部は、前記支持部の一部に割を入れて弾性を付与するものであることを特徴
とする請求項９記載の可動型同軸コネクタ。
【請求項１１】
内部コンタクト及び外部コンタクトを有する可動型同軸コネクタにおいて、前記内部コン
タクト及び前記外部コンタクトの各々は、可動部と前記可動部を支持する支持部を備え、
さらに前記内部コンタクト及び前記外部コンタクトの両方に前記可動部と前記可動部を支
持する支持部の外周面に接圧を掛ける接圧付勢部を備え、前記接圧付勢部の付勢による接
圧を保ちながら前記可動部が前記可動部を支持する支持部を摺動することを特徴とする可
動型同軸コネクタ。
【請求項１２】
内部コンタクト及び外部コンタクトを有する可動型同軸コネクタにおいて、前記外部コン
タクトは、可動部と前記可動部を支持する支持部の外周面に接圧を掛ける接圧付勢部を備
え、前記接圧付勢部の付勢による接圧を保ちながら前記可動部が前記可動部を支持する支
持部を摺動することを特徴とする表面実装可動型同軸コネクタ。
【請求項１３】
内部コンタクト及び外部コンタクトを有する表面実装可動型同軸コネクタにおいて、前記
内部コンタクト及び前記外部コンタクトの各々は、可動部と前記可動部を支持する支持部
を備え、さらに前記内部コンタクト及び前記外部コンタクトの少なくともいずれかに前記
可動部と前記可動部を支持する支持部の外周面に接圧を掛ける接圧付勢部を備え、前記接
圧付勢部の付勢による接圧を保ちながら前記可動部が前記可動部を支持する支持部を摺動
することを特徴とする表面実装可動型同軸コネクタ。
【請求項１４】
内部コンタクト及び外部コンタクトを有する表面実装可動型同軸コネクタにおいて、前記
内部コンタクト及び前記外部コンタクトの各々は、可動部と前記可動部を支持する支持部
を備え、さらに前記内部コンタクト及び前記外部コンタクトの両方に前記可動部と前記可
動部を支持する支持部の外周面に接圧を掛ける接圧付勢部を備え、前記接圧付勢部の付勢
による接圧を保ちながら前記可動部が前記可動部を支持する支持部を摺動することを特徴
とする表面実装可動型同軸コネクタ。
【請求項１５】
請求項１ないし請求項１１記載の可動型同軸コネクタ、又は、請求項１２ないし請求項１
４記載の表面実装可動型同軸コネクタのいずれか一つを備えたことを特徴とする電子機器
。
【発明の詳細な説明】
【技術分野】
【０００１】
本発明は、着脱可能な圧接可動式同軸コネクタの電気的安定化が図れる可動型同軸コネ
クタ及びそれを使用した電子機器に関するものである。
【背景技術】
【０００２】
従来の可動型同軸コネクタ及びそれを使用した電子機器としては、たとえば下記特許文
献１に開示されているように、可動部を基板に対し弾性を保って接続させ、高周波信号を
伝達する可動型同軸コネクタが知られていた。
【０００３】
図３は、特許文献１に開示された従来の可動型同軸コネクタと同種の可動型同軸コネク
タの構成を示す図である。
【０００４】
図３では、例として、表面実装が可能な可動型同軸コネクタを取り上げて説明する。そ
して図３（ａ）は上面図、図３（ｂ）は図３（ａ）のＡ−Ａ断面図および図３（ｃ）は底
面図である。
【０００５】
図３に示すような可動型同軸コネクタは、図３（ｂ）に示すように絶縁ホルダ３１に保
持された可動ピン３２を有する通電ピンを中心部に備え、絶縁ホルダ３１の周囲をケース
３３により取り囲み、取り囲んだケース３３内にスライダ３５を弾性的に保持するための
バネ３４を収納し、バネ３４により保持されケース３３の内面に摺動接触するスライダ３
５を備えて構成される。
【０００６】
ケース３３の上面はスライダ３５の外部への脱出を防止するために内側に折り曲げられ
ている。そしてスライダ３５とケース３３との間には摺動する上に必要な最低限のクリア
ランス(ガタ)が設けられている。さらに図３（ｃ）に示すように図示しないプリント基板
に接続するために半田付け用端子３６、３７が可動型同軸コネクタの底面に設けられてい
る。
【０００７】
なお、半田付け用端子３６は、ケース３３やバネ３４から延出されたものであり、また
半田付け用端子３７は可動ピン３２を有する通電ピンから延出されたものである。なお、
図３に示す可動型同軸コネクタは、可動ピン３２を有する通電ピン、ケース３３を樹脂で
構成される絶縁ホルダ３１にインサートモールド成形して一体加工する。加工した後にバ
ネ３４、スライダ３５を挿入し、その後、ケース３３の上面を内側に折曲する。
【０００８】
図３において従来の可動型同軸コネクタでは、スライダ３５がバネ３４に押されて基板
等(図示せず)と接触して電気的導通がなされ、外部コンタクトとして動作するようにされ
ている。
【０００９】
しかし、スライダ３５とケース３３との間には接触させるための強制力が働くような細
工が計られていないため、当該可動型同軸コネクタに衝撃などが加わることにより、スラ
イダ３５とケース３３とが完全に隔離され、電気的接触抵抗の増大を引き起こすことがあ
った。
【００１０】
スライダ３５とケース３３とが完全に隔離された時の通電経路は、基板(図示せず)から
スライダ３５に、次にスライダ３５からバネ３４に、次いでバネ３４からケース３３に、
更にケース３３から基板(図示せず)に流れる通電ルートとなる。
【００１１】
上記のようにスライダ３５からバネ３４に電気が流れる通電ルートだけになると、通常
螺旋状に巻かれているバネ３４を経由するため導通経路が長くなり、電気的接触抵抗(直
流抵抗)及びインピーダンスが増大する。
【００１２】
因みに良好な接触時における通常の通電経路は、基板(図示せず)からスライダ３５に、
次にスライダ３５からケース３３とバネ３４に、次いでケース３３から基板(図示せず)及
びバネ３４から基板(図示せず)に流れる複数の通電ルートが形成され、特にスライダ３５
からケース３３に流れる通電ルートが形成されるため電気的接触抵抗が低く、安定した導
通を得ることができる。
【００１３】
上記では、もっぱらスライダ３５がバネ３４に押されて基板等(図示せず)と接触して電
気的導通がなされ、外部コンタクトとして動作する例について説明したが、中心部に配設
された通電ピン(可動ピンと固定ピンとバネから構成される)の可動ピン３２がバネに押さ
れて基板等(図示せず)と接触して電気的導通がなされ、内部コンタクト（中心コンタクト
）として動作する場合でも同様なことが起こっていた。
【特許文献１】特許第３１２６８９２号公報
【発明の開示】
【発明が解決しようとする課題】
【００１４】
上記したように従来の可動型同軸コネクタは、可動部と支持部(固定部)間は故意に接圧
を保たせ可動させるようになっていなかった。すなわち、基板(図示せず)への接続につい
ては、弾性を保って接続させるようにしていたので電気的接続は安定していたが、可動型
同軸コネクタ内部での接続、たとえばスライダとケース間の接続又は可動ピンと固定ピン
間の接続は、接続方向へ接圧を保って接続させていないため、振動や衝撃が加わった時、
電気的に接触不良を起こし、直流抵抗値の増大や非導通になることがあった。
【００１５】
そこで本発明は、上記のような問題を解決するために、可動型同軸コネクタに衝撃が加
わった場合でも、内部の可動部と支持部間を接圧を保って安定して摺動接続できる可動型
同軸コネクタを提供することを目的とする。
【課題を解決するための手段】
【００１６】
上記課題を解決するために本発明は、内部コンタクト及び外部コンタクトを有する可動
型同軸コネクタにおいて、前記外部コンタクトは、可動部と前記可動部を支持する支持部
の外周面に接圧を掛ける接圧付勢部を備え、前記接圧付勢部の付勢による接圧を保ちなが
ら前記可動部が前記可動部を支持する支持部を摺動することを特徴とする。
【発明の効果】
【００１７】
本発明によれば、可動型同軸コネクタに衝撃が加わった場合でも、内部の可動部と支持
部間を接圧を保って安定して摺動接続できるという有利性がある。
【００１８】
本発明によれば、衝撃ばかりでなく振動が加わった場合でも可動型同軸コネクタ内部の
可動部と支持部間を接圧を保って安定して摺動接続できるという有利性がある。
【発明を実施するための最良の形態】
【００１９】
以下、本発明の実施の形態を、図面を参照しながら説明する。
【実施例１】
【００２０】
図１は、本発明の実施形態に係る可動型同軸コネクタの構成を示す図であり、例として
、表面実装可動型同軸コネクタを取り上げて説明する。そして図１（ａ）は上面図、図１
（ｂ）は図１（ａ）のＡ−Ａ断面図および図１（ｃ）は底面図である。
【００２１】
図１に示すような表面実装可動型同軸コネクタは、図１（ｂ）に示すように絶縁ホルダ
１１に保持された可動ピン１２を有する通電ピンを中心部に備え、絶縁ホルダ１１の周囲
をケース１３により取り囲み、さらに、スライダ１５とこのスライダ１５をバネ１４によ
り弾性的に支持する絶縁ホルダ１１の外周に設けられたケース１３の外周面に接圧を掛け
る接圧付勢部としての板バネ１８の接圧力により絶縁ホルダ１１外周のケース１３に摺動
接触するスライダ１５を備えて構成される。スライダ１５に設けられた接圧付勢部として
の板バネ１８については図２において説明する。
【００２２】
また図１（ｃ）に示すように図示しないプリント基板に接続するために半田付け用端子
１６、１７が表面実装可動型同軸コネクタの底面に設けられている。半田付け用端子１６
は、ケース１３やバネ１４から延出されたものであり、また半田付け用端子１７は可動ピ
ン１２を有する通電ピンから延出されたものである。
【００２３】
なお、図１に示す表面実装可動型同軸コネクタは、可動ピン１２を有する通電ピン、ケ
ース１３を樹脂で構成される絶縁ホルダ１１にインサートモールドして一体的に加工成形
する。その上で、絶縁ホルダ１１に支持されたバネ１４によりスライダ１５を弾性的に保
持する。
【００２４】
スライダ１５は、絶縁ホルダ１１に支持されたバネ１４によりバネ力が付勢されており
、図示していない基板等と弾性的に電気的接続がなされるようになっている。
【００２５】
図２は、本発明の実施形態における接圧付勢部の構成を示す図であり、図２（ａ）は、
外部コンタクト側のスライダ１５に設けられた接圧付勢部としての板バネ１８の構成を示
す正面一部断面図であり、図２（ｂ）は、内部コンタクト側の通電ピン２０の固定ピン２
４に設けられた板バネ２８の構成を示す正面図（イ）とそのＢ−Ｂ断面図（ロ）である。
【００２６】
図２（ａ）において、スライダ１５は板金を丸めて作られているものであり、その一部
に割を入れて板バネ１８として機能するよう加工されており、そのため図２（ａ）におい
てスライダ１５の一部であることを鮮明にするために板バネ部１８として図示しており、
板バネ部１８が上述したように絶縁ホルダ１１外周のケース１３の外周面に接圧付勢して
板バネ部１８すなわちスライダ１５がケース１３に摺動接触する構造になっている。
【００２７】
このように本発明は、スライダの一部にバネ性を付与する接圧付勢部を設けたことによ
り、衝撃が加わったり、振動が外部から加えられたりした場合でも表面実装可動型同軸コ
ネクタ内部における電気的接触の安定化を図ることができる。また、スライダ１５はバネ
１４の内側を動くことになるので、ストローク（作動量）を確保でき、これにより動作安
定性を増すことができる。
【００２８】
図２（ｂ）は、内部コンタクト側の通電ピン２０の固定ピン２４に設けられた板バネ２
８の構成を示す正面図（イ）とそのＢ−Ｂ断面図（ロ）である。この場合において、固定
ピン２４は上記スライダ１５と同様に板金を丸めて作られており、その一部に割を入れて
板バネ部２８を構成している。
【００２９】
このように本発明は、固定ピンの一部に割を入れてバネ性を持つ接圧付勢部を設けたこ
とにより、衝撃が加わったり、振動が外部から加えられたりした場合でも表面実装可動型
同軸コネクタ内部、すなわち固定ピン２４が可動ピン２２の外周面に接圧を保って確実に
接触して摺動させることができる。
【００３０】
また本発明は、可動ピン２２より大きい固定ピン２４に接圧付勢部を設けるようにして
いるので加工が簡易であり、また、可動ピン２２に接圧付勢部を設けていないので可動ピ
ンのストロークを確保することができ、さらにバネ定数も内部で設定するよりも低くでき
るという有利性がある。
【００３１】
なお図２に示した構成例では、板金を丸めて作られる部材（スライダ、固定ピン）の一
部にバネ性を持たせ、接触の安定化を図るようにしたが、これに限らず、スライダとケー
ス間に別部品の接圧付勢部、例えばバネ、を取り付け、摺動可能にしてもよい。さらに設
けるべき接圧付勢部の形状や個数については適宜変更することができることは言うまでも
ない。例えば、スライダの一部に設けた板バネ部の数を複数以上設けることにより、より
高い接触の信頼性を確保することができる。
【００３２】
上記ではもっぱら外部コンタクト側と内部コンタクト側に分けて説明したが、外部コン
タクト側及び内部コンタクト側の両方で実施することにより、表面実装可動型同軸コネク
タ自身の接触の安定を図りつつ、基板等へ接触圧を加えて電気接続を行う着脱可能な表面
実装可動型同軸コネクタの電気的安定化を図ることができる。
【産業上の利用可能性】
【００３３】
本発明にかかる可動型同軸コネクタは、スライダとケース間、又は可動ピンと固定ピン
間の電気的導電性や動作に不具合を引き起こすことがないので、可動型同軸コネクタとし
て本来あるべき機能を充分に発揮することができるため、これを使用する電子機器、例え
ば携帯電話や携帯情報端末等に有用である。
【図面の簡単な説明】
【００３４】
【図１】本発明の実施実施形態に係る可動型同軸コネクタの構成を示す図、
【図２】本発明の実施形態における接圧付勢部の構成を示す図、
【図３】従来の可動型同軸コネクタの構成を示す図である。
【符号の説明】
【００３５】
１１  絶縁ホルダ
１２  可動ピン
１３  ケース
１４  バネ
１５  スライダ
１６  半田付け用端子
１７  半田付け用端子
１８  板バネ(部)
２０  通電ピン
２２  可動ピン
２４  固定ピン
２８  板バネ(部)
３１  絶縁ホルダ
３２  可動ピン
３３  ケース
３４  バネ
３５  スライダ
３６  半田付け用端子
３７  半田付け用端子
【図１】
2005327520.tif 000003
【図２】
2005327520.tif 000004
【図３】
2005327520.tif 000005